(57)【要約】【課題】  シャワーヘッドに装着されて使用可能な膣洗浄器を提供する。【解決手段】  原水が供給される供給ホースと連結され、内部に前記原水が流動する流動路が設けられた本体と、前記流動路に連通するように前記本体に設けられて前記流動路内の前記原水を外部に噴射するノズル部が設けられたシャワーヘッドに装着される膣洗浄器において、前記ノズル部に分離自在に結合され、内部に前記ノズル部から排出された前記原水が流動できるように排出流路が設けられた取付部と、膣内に挿入できるように前記取付部に延び、外周面に前記排出流路を介して流動する前記原水が噴出されるための多数の噴出孔の形成された挿入部が設けられた洗浄チューブと、前記取付部または前記挿入部のうちいずれか一つの内部に設けられ、前記ノズル部から供給された前記原水をイオン水に変換させるためのイオン交換樹脂が充填されたイオン交換フィルタが設けられた機能性溶液製造部を備える。【選択図】図１
2014531537.tif 000002
【特許請求の範囲】
【請求項１】
原水が供給される供給ホースと連結され、内部に前記原水が流動する流動路が設けられた本体と、前記流動路に連通して前記本体に設けられて前記流動路内の前記原水を外部に噴射するノズル部が設けられたシャワーヘッドに装着される膣洗浄器において、
前記ノズル部に分離自在に結合され、内部に前記ノズル部から排出された前記原水が流動できるように排出流路が設けられた取付部と、
女性の膣内に挿入できるように前記取付部に延び、外周面に前記排出流路を通じて流動する前記原水が噴出されるための多数の噴出孔が形成された挿入部が設けられた洗浄チューブと、
前記取付部または前記挿入部のうちいずれか一つの内部に設けられ、前記ノズル部から供給された前記原水をイオン水に変換させるためのイオン交換樹脂が充填されたイオン交換フィルタが設けられた機能性溶液製造部と、
を備えることを特徴とする膣洗浄器。
【請求項２】
前記洗浄チューブの挿入部は、前記外周面に少なくとも一つの屈曲した凹部が形成され、前記凹部の屈曲面に少なくとも一つの噴出孔が形成されていることを特徴とする請求項１に記載の膣洗浄器。
【請求項３】
前記洗浄チューブの挿入部は、前記凹部が前記外周面に長手方向に不連続的に多数個形成されたり螺旋形に形成され、前記凹部の屈曲面に少なくとも一つの噴出孔が形成されていることを特徴とする請求項２に記載の膣洗浄器.
【請求項４】
前記洗浄チューブの挿入部は、前記外周面に均一に前記多数の噴出孔が形成されていることを特徴とする請求項３に記載の膣洗浄器。
【請求項５】
前記洗浄チューブは、長手方向に多数の排出路が形成されていることを特徴とする請求項１に記載の膣洗浄器。
【請求項６】
前記ノズル部のヘッドキャップに前記イオン交換フィルタ及び前記洗浄チューブを着脱自在に設ける着脱部材をさらに備えることを特徴とする請求項１に記載の膣洗浄器。
【請求項７】
前記着脱部材は、
前記ヘッドキャップの排出口の縁部に搭載される密閉リングと、
前記ヘッドキャップの排出口を覆うように前記密閉リングの上に搭載され、原水が移動できるように多数の孔が形成されるノズルプレートと、
前記ノズルプレート上に設けられる前記イオン交換フィルタが着脱自在に内設されるフィルタハウジングと、
前記フィルタハウジングの外側のノズルプレートの上部の外郭に搭載され、前記密閉リングが設けられた位置に対応する箇所に搭載されるストッパーリングと、
前記イオン交換フィルタが挿入された前記洗浄チューブの挿入部の外周面に結合されて密閉させるチューブ固定キャップと、
前記洗浄チューブの挿入部に結合された前記チューブ固定キャップの外周面に挿入された後、前記ヘッドキャップに結合され、前記ストッパーリング、ノズルプレート及び密閉リングを加圧して固定する本体キャップと、
を含むことを特徴とする請求項１に記載の膣洗浄器。
【請求項８】
前記挿入部の外周面には複数の取付突起が形成されており、前記チューブ固定キャップの内周面には前記複数の取付突起が挿嵌される嵌合溝が前記複数の取付突起に対応するように形成されることを特徴とする請求項７に記載の膣洗浄器。
【請求項９】
前記機能性溶液製造部は、
前記本体の内部に設けられ、前記流動路を通じて流動する前記原水の通過時前記原水に抗菌及び殺菌力を提供する少なくとも一つの充填材が充填された抗菌フィルタをさらに備えることを特徴とする請求項１に記載の膣洗浄器。
【請求項１０】
前記充填材は、フィトンチッド剤、銀イオンボール、遠赤外線ボール、炭、ナノシルバーセラミックボール、銀コーティングゼオライト、ワイルドライスのうち少なくとも一つであることを特徴とする請求項９に記載の膣洗浄器。
【請求項１１】
前記機能性溶液製造部は、
前記本体の内部に設けられ、前記原水に脱臭力を提供するためのアロマカプセルが充填された脱臭フィルタをさらに備えることを特徴とする請求項１に記載の膣洗浄器。
【請求項１２】
前記機能性溶液製造部は、
前記本体の内部に設けられ、前記原水中に残留する塩素を除去するための塩素除去材が充填された塩素除去フィルタを備えることを特徴とする請求項１ないし１１のうちいずれか１項に記載の膣洗浄器。
【請求項１３】
前記機能性溶液製造部は、
前記イオン交換フィルタの内部に充填され、前記イオン交換フィルタを通過する前記原水に抗菌及び殺菌力を提供する多数の補助抗菌ボールをさらに備えることを特徴とする請求項１に記載の膣洗浄器。
【発明の詳細な説明】
【技術分野】
【０００１】
本発明は膣洗浄器に係り、さらに詳しくはシャワーヘッドに装着して使用できる膣洗浄器に関する。
【背景技術】
【０００２】
一般に、女性の体の膣(vagina)は細菌に感染しやすいので、常に清潔状態を維持すべきである。女性の膣は平常時に弱酸性状態を維持しているが生理時にはアルカリ度が高くなり、膣の粘膜が薄くなって細菌に感染しやすくなるので、清潔状態に格別な注意を払うべきである。このため、従来は温水または所定の医薬品を入れた水で腰湯を使ってきたが、このような腰湯のやり方は全ての動作が手を使って行われるので、かえって細菌に感染される場合が多かった。
【０００３】
前述したような問題点を解決するために開発された従来の膣洗浄器は、ユーザが水道水などに洗浄用医薬品を希釈して膣洗浄器に注入した後使用するようになっているので、その使用が極めて煩わしく、使用後リサイクルを目的としているので、使用時膣洗浄器を消毒すべきなど不便があった。
【０００４】
従来の膣洗浄器は、洗浄容器と胴体とに分けられた折り曲げられた形状を持っていながら水道水などを直接に使用して膣を洗浄したり、水道水などに膣洗浄用の医薬品を希釈して膣を洗浄しているが、この場合は膣炎などにかかりやすくなっている。
【０００５】
そして、従来の膣洗浄器はその構造が複雑であり、製作及び設置において高コスト及び長時間かかるなどの問題点があり、体積が大きくなることから比較的に広い設置スペースを要する短所があった。
【発明の概要】
【発明が解決しようとする課題】
【０００６】
本発明は前述したような問題点を解決するために案出されたもので、その目的は家庭内で使用するシャワーヘッドに着脱自在にし、シャワーヘッドから噴射された原水をイオン水に変換するためのイオン交換フィルタ付き膣洗浄器を提供するところにある。
【０００７】
本発明の他の目的は、膣の洗浄効率をアップすることのできる屈曲型の洗浄チューブ付き膣洗浄器を提供するところにある。
【課題を解決するための手段】
【０００８】
前述した目的を達成するための本発明に係る膣洗浄器は、原水が供給される供給ホースと連結され、内部に前記原水が流動する流動路が設けられた本体と、前記流動路に連通するように前記本体に設けられて前記流動路内の前記原水を外部に噴射するノズル部が設けられたシャワーヘッドに装着される膣洗浄器において、前記ノズル部に分離自在に結合され、内部に前記ノズル部から排出された前記原水が流動できるように排出流路が設けられた取付部と、女性の膣内に挿入できるように前記取付部に延び、外周面に前記排出流路を介して流動する前記原水が噴出されるための多数の噴出孔の形成された挿入部が設けられた洗浄チューブと、前記取付部または前記挿入部のうちいずれか一つの内部に設けられ、前記ノズル部から供給された前記原水をイオン水に変換させるためのイオン交換樹脂の充填されたイオン交換フィルタが設けられた機能性溶液製造部と、を備える。
【０００９】
前記洗浄チューブの挿入部は、前記外周面に少なくとも一つの屈曲した凹部が形成され、前記凹部の屈曲面に少なくとも一つの噴出孔が形成されうる。
【００１０】
前記洗浄チューブの挿入部は、前記凹部が前記外周面に長手方向に不連続的に多数個形成されたり螺旋形に形成され、前記凹部の屈曲面に少なくとも一つの噴出孔が形成できる。
【００１１】
前記洗浄チューブの挿入部は、前記外周面に均一に前記多数の噴出孔が形成されうる。
【００１２】
前記洗浄チューブは長手方向に多数の排出路が形成されうる。
【００１３】
前記イオン交換フィルタは、前記取付部の内部に着脱自在に設けられる。すなわち本発明に係る膣洗浄器は、前記ノズル部のヘッドキャップに前記イオン交換フィルタ及び前記洗浄チューブを着脱自在に設ける着脱部材をさらに含むことができる。
【００１４】
前記着脱部材は、前記ヘッドキャップの排出口の縁部に搭載される密閉リングと、前記ヘッドキャップの排出口を覆うように前記密閉リングの上に搭載され、原水が移動できるように多数の孔が形成されたノズルプレートと、該ノズルプレート上に設けられる前記イオン交換フィルタが着脱自在に内設されるフィルタハウジングと、前記フィルタハウジングの外側のノズルプレートの上部の外郭に搭載され、前記密閉リングが設けられた位置に対応する箇所に搭載されるストッパーリングと、前記イオン交換フィルタが挿入された前記洗浄チューブの挿入部の外周面に結合されて密閉させるチューブ固定キャップ、及び前記洗浄チューブの挿入部に結合された前記チューブ固定キャップの外周面に挿入された後、前記ヘッドキャップに結合され、前記ストッパーリング、ノズルプレート及び密閉リングを加圧して固定する本体キャップを含むことができる。
【００１５】
前記挿入部の外周面には複数の取付突起が形成されており、前記チューブ固定キャップの内周面には前記複数の取付突起が嵌挿される嵌合溝が前記複数の取付突起に対応するように形成されうる。
【００１６】
前記機能性溶液製造部は、前記本体の内部に設けられ、前記流動路を通じて流動する前記原水の通過時前記原水に抗菌及び殺菌力を提供する少なくとも一つの充填材が充填された抗菌フィルタをさらに具備できる。
【００１７】
この際、前記充填材は、フィトンチッド剤、銀イオンボール、遠赤外線ボール、炭、ナノシルバーセラミックボール、銀コーティングゼオライト、ワイルドライスのうち少なくとも一つを含むことができる。
【００１８】
前記機能性溶液製造部は、前記本体の内部に設けられ、前記原水に脱臭力を提供するためのアロマカプセルが充填された脱臭フィルタをさらに具備できる。
【００１９】
前記機能性溶液製造部は、前記本体の内部に設けられ、前記原水中に残留する塩素を除去するための塩素除去材が充填された塩素除去フィルタをさらに具備できる。
【００２０】
そして、前記機能性溶液製造部は、前記イオン交換フィルタの内部に充填され、前記イオン交換フィルタを通過する前記原水に抗菌及び殺菌力を提供する多数の補助抗菌ボールをさらに具備できる。
【発明の効果】
【００２１】
以上説明したように本発明によれば、構造が簡単であり、家庭で使用するシャワーヘッドに装着されて使えるので、制作及び設置コストと時間を節約することができ、イオン交換フィルタを通じてシャワーヘッドから供給される原水をイオン水、例えば酸性水に変換させて使うので、膣炎の誘発を予防できる。
【００２２】
また、本発明に係る膣洗浄器の洗浄チューブは外周面に屈曲面を形成し、該屈曲面に噴出孔を形成することによって、膣の洗浄時屈曲面に形成された噴出孔を通じて多数の方向に原水を噴出して膣の洗浄効率をアップすることができる。
【００２３】
また、本発明に係る膣洗浄器は、洗浄チューブにイオン交換フィルタが着脱自在に結合されるので、イオン交換フィルタの交換または修理などを容易に行える利点がある。
【００２４】
そして、本発明に係る膣洗浄器は、洗浄チューブの外周面に長手方向に多数の排出路を形成することによって、洗浄チューブを通じて排出されたイオン水が膣洗浄後排出路を通じて膣の外部に迅速に抜けていけるように案内して、膣洗浄の効率をアップすることができる。
【図面の簡単な説明】
【００２５】
【図１】本発明の第１の実施形態に係る膣洗浄器に対する斜視図である。
【図２】図１の膣洗浄器に対する分離斜視図である。
【図３】図１の膣洗浄器に対する断面図である。
【図４】本発明の第２の実施形態に係る膣洗浄器の部分断面図である。
【図５】本発明の第３の実施形態に係る膣洗浄器の洗浄チューブに対する断面図である。
【図６】本発明の第４の実施形態に係る膣洗浄器の洗浄チューブに対する斜視図である。
【図７】本発明の第５の実施形態に係る膣洗浄器の洗浄チューブに対する斜視図である。
【図８】本発明の第６の実施形態に係る膣洗浄器に対する斜視図である。
【図９】図８の膣洗浄器の分解斜視図である。
【発明を実施するための形態】
【００２６】
下記の説明では本発明の実施の形態を理解するのに必要な部分だけ説明され、その他の部分の説明は本発明の要旨を混同させないようにするため省略されることに留意すべきである。
【００２７】
後述する本願の明細書及び特許請求の範囲において使用された用語や単語は通常的であるか辞典的な意味に限定して解釈されてはいけなく、発明者は自分の発明を最善の方法で説明するために用語の概念で定義できるとの原則に即して、本発明の技術的思想に当てはまる意味と概念で解釈されるべきである。従って、本明細書に記載された実施形態及び図面に示した構成は本発明の好適な実施形態に過ぎず、本発明の技術的思想を全て代弁するものではないので、本出願時点においてこれらを代替できる多様な均等物と変形例がありうることを理解すべきである。
【００２８】
以下に添付図面を参照しながら、本発明の好適な実施の形態について詳細に説明する。
【００２９】
＜第１の実施形態＞
図１は本発明の第１実施形態に係る膣洗浄器１００に対する斜視図である。図２は図１の膣洗浄器１００に対する分離斜視図である。それから、図３は図１の膣洗浄器１００に対する断面図である。
【００３０】
図１ないし図３を参照すれば、本発明の第１実施形態に係る膣洗浄器１００は、家庭用シャワーヘッド１０に装着してシャワーヘッド１０から噴射される原水を洗浄水として使用する。
【００３１】
シャワーヘッド１０は、原水が供給される供給ホースと連結され、内部に原水が流動する流動路が設けられた本体１５と、流動路に連通するように本体１５に設けられて流動路内の原水を外部に噴射するノズル部４０が設けられる。
【００３２】
本体１５は、内部に後述する膣洗浄器１００のフィルタが設けられるように内部空間が設けられ、一端部には供給ホースの端部が貫通して挿入できるように挿入口２１が設けられたフィルタハウジング２０と、フィルタハウジング２０の他端部に設けられ、内部に収容空間３１が設けられ、一端部にはフィルタハウジング２０の内部空間と連通する連結口３２が形成されたヘッドボディ３０と、ヘッドボディ３０の外周面に収容空間３１に連通して設けられて、収容空間３１に貯められた原水を外部に排出するノズル部４０と、収容空間３１の内部に設けられてノズル部４０への原水供給を断続するスイッチ部５０とを備える。
【００３３】
フィルタハウジング２０は所定の長さに延びて円筒形に形成され、他端面が開放するように形成される。フィルタハウジング２０は、示されていないが、ヘッドボディ３０の一端部に強制嵌合されたり螺合できるように他端の外周面に螺子山が形成できる。
【００３４】
ヘッドボディ３０は、後述する膣洗浄器１００のフィルタが結合できるように一端面に、連結口３２の縁部に沿って延び、フィルタハウジング２０方向に突出した結束部材３３が形成される。ヘッドボディ３０は上面にノズル部４０が設けられるように開放口が形成されている。また、ヘッドボディ３０の開放口の他側の縁部には後述するスイッチ部５０の把持部材５３が外部に突出して設けられるように摺動溝が開放口の縁部に沿って所定長さ形成されている。フィルタハウジング２０及びヘッドボディー３０は連結口３２を通じて相互連通して、供給ホースから供給された原水が流動する流動路を形成する。
【００３５】
ノズル部４０は、開放口を覆うように設けられ、上面の中央部にはヘッドボディ３０の収容空間３１と連通するように排出口４４が形成されたヘッドキャップ４１と、ヘッドキャップ４１の排出口４４に挿設され、上面の中央に中空が形成され、上面に多数の第１噴射孔４５が設けられたノズルキャップ４２と、ノズルキャップ４２の中空に挿入され、上面に多数の第２噴射孔４６が設けられたセンターノズル４３を具備する。
【００３６】
ヘッドキャップ４１は排出口４４の形成された上面が上方に突出して形成され、示されていないが、排出口４４の内周面には洗浄チューブ１１０が螺合できるようにねじ山が形成されている。
【００３７】
ノズルキャップ４２は、排出口４４に対応する円筒形に形成されてヘッドキャップ４１の内部に設けられ、上面にはヘッドキャップ４１の排出口４４の縁部が接するように縁部に沿って段差が形成される。
【００３８】
センターノズル４３は、ノズルキャップ４２の中央に形成された中空に挿入され、内部に原水が流入される流入路が設けられ、上面には第２噴射孔４６が設けられ、第２噴射孔４６は第１噴射孔４５よりさらに大きい内径を有するように形成されるのが好ましい。
【００３９】
スイッチ部５０は、連通管５４によってヘッドボディ３０の連結口３２に連結され、ノズルキャップ４２及びセンターノズル４３に連通されるように設けられる連通部材５１と、連通部材５１内に回転自在に設けられ、回転によって選択的に連通管５４を開閉するスイッチングプレート５２を備える。スイッチングプレート５２の外周面には摺動溝を通じてヘッドボディ３０の外部に突出する把持部材５３が形成される。
【００４０】
一方、本発明の第１実施形態に係る膣洗浄器１００を詳述すれば次の通りである。
【００４１】
膣洗浄器１００は、ノズル部４０に分離自在に結合された洗浄チューブ１１０と、洗浄チューブ１１０及びシャワーヘッド１０に設けられて原水をイオン水に変換する機能性溶液製造部１２０を具備する。
【００４２】
洗浄チューブ１１０はヘッドキャップ４１に分離自在に設けられ、内部にノズル部４０から排出された原水が流動できるように排出流路１１３が設けられた取付部１１１と、女性の膣内に挿入できるように取付部１１１に延び、外周面に排出流路１１３を通じて流動する原水が噴出されるための多数の噴出孔１１４が形成された挿入部１１２を備える。
【００４３】
取付部１１１は、ヘッドキャップ４１の排出口４４に挿入できるように排出口４４の内径に対応する外径を有する円筒形に形成され、示されていないが、ヘッドキャップ４１に螺合できるように下端の外周面にネジ山が形成されうる。
【００４４】
挿入部１１２は取付部１１１の上部に上方に延設されるもので、上部の外周面には多数の噴出孔１１４が形成される。挿入部１１２は女性の膣内に挿入しやすくなるように取付部１１１に遠ざかるほど断面積が小さくなるように形成されるのが好ましい。前述したように構成された洗浄チューブ１１０はフレキシブルであり、成形性に優れたシリコンのような合成樹脂材で形成されるのが望ましい。
【００４５】
シャワーヘッド１０のノズル部４０を通じて取付部１１１の内部に流入された原水を排出流路１１３を通じて挿入部１１２に流動し、挿入部１１２の外周面に形成された噴出孔１１４を通じて女性の膣内に噴射される。
【００４６】
機能性溶液製造部１２０は、取付部１１１の内部に設けられ、ノズル部４０から供給された原水をイオン水に変換させるためのイオン交換樹脂１３１が充填されたイオン交換フィルタ１３０を含む。機能性溶液製造部１２０はフィルタハウジング２０内に設けられ、流動路を通じて流動する原水の通過時原水に抗菌及び殺菌力を提供する少なくとも一つの充填材１４１が充填された抗菌フィルタ１４０と、フィルタハウジング２０内に設けられ、原水に脱臭力を提供するためのアロマカプセル１５１が充填された脱臭フィルタ１５０と、フィルタハウジング２０の内部に設けられ、原水中に残留する塩素を除去するための塩素除去材１６１が充填された塩素除去フィルタ１６０とを備えられる。
【００４７】
イオン交換フィルタ１３０は、取付部１１１の内部に設けられ、内部にイオン交換樹脂１３１が充填される内部空間が設けられる第１ケース１３２を具備する。第１ケース１３２は取付部１１１に挿入できるように取付部１１１の内径に対応する外径を有する円筒形に形成され、上下面には原水が通過できるように第１通孔１３３が形成される。
【００４８】
イオン交換樹脂１３１は、水のマグネシウムなどの陽イオンを水素陽イオン(Ｈ+タイプ)に交換処理する陽イオン交換樹脂で構成される。
【００４９】
イオン交換樹脂１３１は、原水中に硬度性イオンであるマグネシウム(Mg)イオンとカルシウム(Ca)イオンなどを濾過しつつ水素イオンを放出して、原水をＰＨ３.５ないし５程度の酸性水に変化させる。また、水の柔らかさを表す硬度値を下げるようになる。酸性水で膣を洗浄する場合、膣炎を予防できる効果を期することができる。
【００５０】
一方、イオン交換樹脂１３１として、水の有害陰イオン(ＯＨ-ないしＣｌ-タイプ)をＯＨ-ないしＣｌ-に交換処理する陰イオン交換樹脂を使う場合もある。
【００５１】
陰イオン交換樹脂を使用する場合、陰イオン交換樹脂はＯＨ-イオンまたはＣｌ-イオンを発生させる弱塩基性ＯＨ-タイプまたはＣｌ-タイプからなり、原水を中性ないし弱アルカリに転換させる。特に、陰イオン交換樹脂がＣｌ-タイプである場合にはＣｌ-除去用カーボンフィルタがさらに必要である。このようなイオン交換樹脂１３１は、樹脂の使用状態を目で確認できるように変色イオン交換樹脂１３１を使うのが好ましい。
【００５２】
また、陽イオン交換樹脂及び陰イオン交換樹脂が原水の流動方向に沿って順次に積層されるように第１ケース１３２の内部に設けられる。
【００５３】
一方、示された例においては、イオン交換フィルタ１３０が取付部１１１内に設けられた構造を説明してきたが、イオン交換フィルタ１３０は示された例に限定されるものではなく、挿入部１１２の内部に設けられても良い。また、イオン交換フィルタ１３０は交換または修理などを容易に行えるように、取付部１１１の内部に着脱自在に設置されうる。
【００５４】
抗菌フィルタ１４０は、内部に充填材１４１が充填される充填空間が設けられ、所定長さ延びた円筒形に形成された第２ケース１４２を具備する。第２ケース１４２は供給ホースを通じて供給された原水が通過できるように両端面にそれぞれ多数の第２通孔が設けられる。第２ケース１４２は、フィルタハウジング２０内に挿入された供給ホースの端部が挿入できるように一端部の外周面に縁部に沿って延びた第１結合部材１４３が設けられている。また、第２ケース１４２は、後述する脱臭フィルタ１５０の第３ケース１５２に容易に連結できるように他端部の縁部に沿って段差が形成されている。
【００５５】
充填材１４１としては、ナノシルバーセラミックボール、銀コーティングゼオライト、銀添活性繊維炭素、 遠赤外線ボール、銀イオンボール、フィトンチッド剤、ワイルドライスからなりうる。ナノシルバーセラミックボールはナノシルバーの銀粒子をセラミックボールにコーティングしたものであり、銀コーティングゼオライトは微細な多孔質であって物理的吸着力(窒素、燐酸カリウムなど各９０〜９５％)と化学的陽イオン置換作用(７０〜１４０meg/１００ｇ)に優れて水分以外の他の物質、ガスなどを２０倍まで吸収、吸着して保管してから、ゆっくり排出する機能を有するもので、銀を置換させて製造される。そして、銀添活性繊維炭素は、活性炭を繊維状態に加工する過程で銀を添加して銀の抗菌機能を有する。
【００５６】
遠赤外線ボールは、供給ホースに供給される高温の原水によって遠赤外線を放射できるように橄欖石、麥飯石、玉石、黒石、セラミックの材料で構成される。遠赤外線ボールが充填材１４１の一つとして使われる場合、抗菌フィルタ１４０を通過する原水に遠赤外線を放射する。
【００５７】
炭は第２ケース１４２内へ挿入しやすくするように所定サイズの片からなる。炭が充填材１４１の一つとして使用される場合、抗菌フィルタを通過する原水を浄水し、原水に遠赤外線を放射する。
【００５８】
陰イオンボールは、陰イオンを放出する天然鉱物のうち希土類系の自然状態の天然原料であって、体に有用な陰イオンを放出する材料である。
【００５９】
フィトンチッド剤は、フィトンチッドを発生させる木の片やフィトンチッドをマイクロカプセル化して原料の成分が抗菌フィルタ１４０を通過する原水にゆっくり溶出されるようにしたものであって、原水を殺菌及び抗菌し、ユーザに森林浴の効果を与える。
【００６０】
そして、ワイルドライスは、原水を殺菌または抗菌する機能を有する。例えば、ワイルドライスは乾燥して炭と混合して使用する場合、ゲルマニウム成分の含量が高いことから、防腐剤を別に使わなくても良い利点がある。
【００６１】
脱臭フィルタ１５０は、内部にアロマカプセル１５１が充填される充填空間が設けられ、所定長さ延びて円筒形に形成された第３ケース１５２を具備する。第３ケース１５２は抗菌フィルタ１４０を経由した原水が通過できるように両端面にそれぞれ多数の第３通孔１５４が設けられる。第３ケース１５２は第２ケース１４２の他端部が挿入できるように一端部の外周面に縁部に沿って延びた第２結合部材１５３が設けられている。また、第３ケース１５２は、後述する塩素除去フィルタ１６０の第４ケース１６２に容易に連結できるように他端部の縁部に沿って段差が形成されている。アロマカプセル１５１はローズマリーのような香りを発生させる原料をマイクロカプセル化して、原料の成分が第３ケース１５２を通過する原水にゆっくり溶出されるようにしたものである。
【００６２】
塩素除去フィルタ１６０は、内部に塩素除去材１６１が充填される充填空間が設けられ、所定長さに延びて円筒形に形成された第４ケース１６２とを具備する。第４ケース１６２は脱臭フィルタ１５０を経由した原水が通過できるように両端面にそれぞれ多数の第４通孔１６５が設けられる。第４ケース１６２は、第３ケース１５２の他端部が挿入できるように一端部の外周面に縁部に沿って延びた第３結合部材１６３が設けられている。また、第４ケース１６２は結束部材３３が挿入できるように他端部の外周面に縁部に沿って延びた第４結合部材１６４が設けられている。
【００６３】
塩素除去材１６１は、原水中に含まれた次亜塩素酸イオン(ClO)を還元させ、自分は酸化されて硫酸カルシウム(CaSO4)になる多量の亜硫酸カルシウム(CaSO3)成分からなる。
【００６４】
一方、示した例においては、抗菌フィルタ１４０、脱臭フィルタ１５０及び塩素除去フィルタ１６０が原水の流動方向を基準にして順次に設けられた構造を説明してきたが、フィルタの設置順序を示した例に限定されるものではなく、多様に構成可能である。
【００６５】
このような本発明の第１の実施形態に係る膣洗浄器１００の設置順序は次の通りである。
【００６６】
まず、抗菌フィルタ１４０、脱臭フィルタ１５０及び塩素除去フィルタ１６０を順次に結合させた後、フィルタハウジング２０に挿入された供給ホースの端部が抗菌フィルタ１４０の一端部に結合されるように、抗菌フィルタ１４０、脱臭フィルタ１５０及び塩素除去フィルタ１６０をフィルタハウジング２０内に設ける。
【００６７】
次いで、ヘッドボディ３０の結束部材３３が塩素除去フィルタ１６０の他端部に結合されるようにヘッドボディー３０をフィルタハウジング２０に結合させる。
【００６８】
その後、取付部内にイオン交換フィルタ１３０を挿入し、洗浄チューブ１１０をシャワーヘッド１０のノズル部４０に設けることによって、本発明の第１の実施形態に係る膣洗浄器１００の設置を完了できる。
【００６９】
そして、膣洗浄器１００が装着された状態で、供給ホースを通じて供給された原水は抗菌フィルタ１４０、脱臭フィルタ１５０及び塩素除去フィルタ１６０を通過する。この際、原水はナノシルバーセラミックボールまたは銀コーティングゼオライトを通過しつつ殺菌及び抗菌処理される。すなわち、ナノシルバーセラミックボールまたは銀コーティングゼオライトはコーティングされた銀がナノ化されたものであることから、強力な殺菌性と抗菌性を有するようになって、６５０種余りの細菌とウィルスを滅菌でき、塩素系より数十倍強い殺菌力を有する。また、アロマカプセル１５１及び塩素除去材１６１を通過しつつ、脱臭機能が追加され、原水中に残留する塩素が除去される。
【００７０】
このように本発明の第１の実施形態に係る膣洗浄器１００は、原水が洗浄チューブ１１０内に設けられたイオン交換フィルタ１３０を通過しつつイオン水に変換されて、洗浄チューブ１１を通じて女性の膣内に噴射されるので、膣炎の発生を予防することができる。
【００７１】
また、本発明の第１の実施形態に係る膣洗浄器１００は、構造が単純であり、家庭内で使用するシャワーヘッド１０に装着して使用できるので製作及び設置費用と時間を節約できるという長所がある。
【００７２】
＜第２の実施形態＞
一方、図４は本発明の第２の実施形態に係る膣洗浄器２００の部分断面図である。この際、図４において、前述した図１ないし図３と同じ機能をする構成要素は同一の符号を付することにより重複説明を省略する。
【００７３】
図４を参照すれば、本発明の第２の実施形態に係る膣洗浄器２００は、イオン交換フィルタ１３０に内蔵された多数の補助抗菌ボール２０１をさらに備える。その他、本発明の第２の実施形態に係る膣洗浄器２００は、第１の実施形態に係る膣洗浄器と同じ構成を有するので、多数の補助抗菌ボール２０１が設けられた構造を中心に説明すれば次の通りである。
【００７４】
多数の補助抗菌ボール２０１は、イオン交換フィルタ１３０の第１ケース１３２の内部に充填され、イオン交換フィルタ１３０を通過する原水に抗菌及び殺菌力を提供する。すなわち、多数の補助抗菌ボール２０１は第１ケース１３２の内部に充填材１４１と共に充填され、充填材１４１内に分散されている。
【００７５】
補助抗菌ボール２０１としては、ナノシルバーセラミックボール、銀コーティングゼオライト、銀添活性繊維炭素、遠赤外線ボール、銀イオンボール、フィトンチッド剤、ワイルドライスからなりうる。ナノシルバーセラミックボールはナノシルバーの銀粒子をセラミックボールにコーティングしたものであり、銀コーティングゼオライトは微細な多孔質であって物理的吸着力(窒素、燐酸カリウムなど各９０〜９５％)と化学的陽イオン置換作用(７０〜１４０meg/１００ｇ)に優れて水分以外の他の物質、ガスなどを２０倍まで吸収、吸着して保管してから、ゆっくり排出する機能を有するものであって、銀を置換させて製造される。そして、銀添活性繊維炭素は活性炭をファイバー状に加工する過程において銀を添加して銀の抗菌機能を有する。
【００７６】
このように本発明の第２の実施形態に係る膣洗浄器２００は、供給ホースを通じて供給された原水が抗菌フィルタを通過してイオン交換フィルタ１３０に流入され、イオン交換フィルタ１３０を通過する際補助抗菌ボール２０１によって原水は再び殺菌及び抗菌処理される。すなわち、抗菌フィルタ及び補助抗菌ボール２０１によって原水は多段にて殺菌及び抗菌処理されるので、本発明の第２の実施形態に係る膣洗浄器２００は女性の膣内にさらに清潔な洗浄水が供給されうる。
【００７７】
＜第３の実施形態＞
一方、本発明の第１及び第２の実施形態に係る膣洗浄器において、洗浄チューブは外周面が屈曲がない形態に形成された例を開示したが、これに限定されることではない。例えば、図５に示したように、洗浄チューブ１００ａの外周面に屈曲を形成することもある。
【００７８】
図５は本発明の第３の実施形態に係る膣洗浄器の洗浄チューブに対する断面図である。
【００７９】
図５を参照すれば、本発明の第３の実施形態に係る膣洗浄器の洗浄チューブ１００ａは外周面に少なくとも一つの屈曲した凹部１１４ａが形成されている。
【００８０】
洗浄チューブ１１０ａは取付部１１１と挿入部１１２を含む。挿入部１１２の外周面に屈曲が形成されている。
【００８１】
挿入部１１２は、外周面に屈曲して凹設された凹部１１２ａと、凹部１１２ａに連結され外側に突出した凸部１１２ｂを含み、凹部１１２ａと凸部１１２ｂが繰返して形成された構造を有する。凹部１１２ａの屈曲面に第１噴出孔１１４ａが形成される。また、凸部１１２ｂにも第２噴出孔１１４ｂが形成される。凹部１１２ａは挿入部１１２の長手方向に不連続的に多数個形成されうる。勿論、凹部１１２ａの間には凸部１１２ｂが位置する。
【００８２】
このように第１噴出孔１１４ａと第２噴出孔１１４ｂから原水が噴出される角度が相異なるので、第３の実施形態に係る洗浄チューブ１１０ａは多数の方向に原水を噴出することによって、膣の洗浄効率をアップすることができる。
【００８３】
この際、本発明の第３の実施形態に係る膣洗浄器は、洗浄チューブ１００ａを除いた構成が第１または第２の実施形態に係る膣洗浄器の構成を有しうる。
【００８４】
一方、第３の実施形態に係る洗浄チューブ１１０ａは、凹部１１２ａと凸部１１２ｂの両方に噴出孔１１４ａ、１１４ｂが形成された例を示したが、凹部１１２ａにだけ噴出孔１１４ａを形成することもできる。あるいは凹部１１２ａと凸部１１２ｂを有する挿入部１１２の外周面の全体に多数の噴出孔１１４が均一に形成されることもできる。
【００８５】
また、第３の実施形態に係る洗浄チューブ１１０ａは、多数の凹部１１２ａが挿入部１１２の長手方向に不連続的に形成された例を示したが、これに限定されることではない。例えば凹部は挿入部１１２の長手方向に螺旋形に形成でき、この場合挿入部１１２の外周面に連続的に形成されうる。
【００８６】
＜第４の実施形態＞
一方、洗浄チューブを通じて排出されたイオン水が膣洗浄後洗浄チューブを通じて膣の外部に抜けていけるように、図６に示したように、排出路１１５が形成されうる。
【００８７】
図６は本発明の第４の実施形態に係る膣洗浄器の洗浄チューブ１１０ｂに対する斜視図である。
【００８８】
図６を参照すれば、本発明の第４の実施形態に係る膣洗浄器の洗浄チューブ１１０ｂは取付部１１１と挿入部１１２を含み、外周面に多数の排出路１１５が形成されている。その他の構造は、第３の実施形態に係る膣洗浄器の洗浄チューブと同じ構成を有することから、排出路１１５が形成された構造を中心に説明すれば、次の通りである。
【００８９】
排出路１１５は洗浄チューブ１１０ｂの長手方向に多数個放射状に形成される。排出路１１５は凸部１１２ｂに形成され、凹部１１２ａにも共に形成されうる。この際、排出路１１５は一定幅に形成される例を示したが、挿入部１１２から取付部１１１側へ行くほど幅が増加するように形成できる。
【００９０】
このように第４の実施形態に係る洗浄チューブ１１０ｂは多数の排出路１１５を具備するので、洗浄チューブ１１０ｂを通じて排出されたイオン水が膣の洗浄後膣の外部に迅速に抜けていけるように案内する。
【００９１】
一方、第４の実施形態では排出路１１５には噴出孔１１４が形成されていない例を示したが、噴出孔１１４が設けられた箇所に形成することもできる。
【００９２】
＜第５の実施形態＞
また、第４の実施形態に係る排出路１１５は、図７に示されているように、第１及び第２の実施形態に係る膣洗浄器の洗浄チューブにも適用できることは勿論である。ここで、図７は本発明の第５の実施形態に係る膣洗浄器の洗浄チューブに対する斜視図である。
【００９３】
図７を参照すれば、本発明の第５の実施形態に係る膣洗浄器の洗浄チューブ１１０ｃは、取付部１１１と挿入部１１２を含み、外周面に多数の排出路１１５が形成されている。その他の構造は、第１または第２の実施形態に係る膣洗浄器の洗浄チューブと同じ構成を有するので、排出路１１５が形成された構造を中心にして説明すれば、次の通りである。
【００９４】
排出路１１５は、洗浄チューブ１１０ｃの長手方向に多数個放射状に形成される。排出路１１５は噴出孔１１４間の領域に形成できる。この際、排出路１１５は一定幅に形成される例を示したが、挿入部１１２から取付部１１４側に行くほど幅が増加するように形成することもできる。
【００９５】
一方、第５の実施形態においては、排出路１１５には噴出孔１１４が形成されていない例を示したが、噴出孔１１４が設けられた箇所に形成することもできる。
【００９６】
＜第６の実施形態＞
図８は本発明の第６実施形態に係る膣洗浄器３００に対する斜視図である。図９は図８の膣洗浄器３００の分解斜視図である。
【００９７】
図８及び図９を参照して、本発明の第６の実施形態に係る膣洗浄器３００は、家庭用シャワーヘッド１０に装着され、シャワーヘッド１０から噴射される原水を洗浄水として使用し、ノズル部４０に設けられる洗浄チューブ１１０と、洗浄チューブ１１０を含んで本体１５に設けられる機能性溶液製造部１２０を備える。
【００９８】
洗浄チューブ１１０及びイオン交換フィルタは、着脱部材１７０を媒介にノズル部４０のヘッドキャップ４１に着脱自在に結合される。洗浄チューブ１１０はヘッドキャップ４１の排出口４４と連通するようにヘッドキャップ４１の内側に位置する。洗浄チューブ１００は取付部１１１の外周面に複数の取付突起１１６が形成されている。この際、複数の取付突起１１６は洗浄チューブ１１０の軸方向に複数個形成される。
【００９９】
着脱部材１７０は、密閉リング１７１、ノズルプレート１７３、ストッパーリング１８１、チューブ固定キャップ１８５及び本体キャップ１９１とを備える。
【０１００】
密閉リング１７１はヘッドキャップ４１の排出口４４の縁部に搭載されるように設けられる。
【０１０１】
ノズルプレート１７３はヘッドキャップ４１の排出口４４を覆うように密閉リング１７１上に搭載され、排出口４４を通じて供給される水がイオン交換フィルタに提供できるように多数の孔が形成されている。ノズルプレート１７３の中心部にはイオン交換フィルタが内設できるフィルタハウジング１７５が設けられている。フィルタハウジング１７５はノズルプレート１７３に設けられるフィルタボックス１７７と、フィルタボックス１７７に着脱自在に結合されるフィルタキャップ１７９を含む。フィルタハウジング１７５は、ノズルプレート１５３を経た水が通過できる多数の孔が形成されている。
【０１０２】
ストッパーリング１８１はノズルプレート１７３の上部の外郭に配置され、密閉リング１７１が設けられた位置に対応する箇所に搭載される。ストッパーリング１８１の内側にフィルタハウジング１７５が位置する。ストッパーリング１８１の内側にはチューブ固定キャップ１８５の設置位置及び移動を駆動する複数のガイドビーム１８３が形成されている。複数のガイドビーム１８３はストッパーリング１８１の内側の内周面に沿って形成されうる。
【０１０３】
チューブ固定キャップ１８５は、洗浄チューブ１１０の取付部１１１の外周面に結合され、洗浄チューブ１１０が結合されるフィルタハウジング１７５に密閉固定する。チューブ固定キャップ１８５は、洗浄チューブ１１０に供給されるイオン水が取付部１１１の外側へ水漏れすることを防止する機能を果たす。チューブ固定キャップ１８５は内周面に洗浄チューブ１１０の取付突起１１６がそれぞれ嵌挿できる嵌合溝１８７が形成されている。チューブ固定キャップ１８５の外周面の下部には複数のガイドビーム１８３にそれぞれ拘束されるガイド突起１８９が形成されている。
【０１０４】
そして、本体キャップ１９１は、洗浄チューブ１１０の挿入部１１１に結合されたチューブ固定キャップ１８５の外周面に挿入された後、ヘッドキャップ４１に結合されてチューブ固定キャップ１８５の結合された洗浄チューブ１１０を保護する。この際、本体キャップ１９１はヘッドキャップ４１に結合しつつ、ストッパーリング１８１、ノズルプレート１７３及び密閉リング１７１を加圧してヘッドキャップ４１と本体キャップ１９１の間への水漏れを防止することができる。この際、ヘッドキャップ４１の外周面の上部には本体キャップ１９１の結合可能な雄ねじ山４７が形成されている。本体キャップ１９１の内周面の下端にはヘッドキャップ４１の雄ねじ山４７に螺合できる雌ねじ山１９３が形成されている。
【０１０５】
従って、本体キャップ１９１の開閉を通じて洗浄チューブ１１０と、洗浄チューブ１１０の内側のフィルタハウジング１７５に挿入されたイオン交換フィルタに対する交換作業を容易に行える。
【０１０６】
本発明は図面に示された実施形態を参考にして説明されてきたが、これは例示的なことに過ぎず、当該技術分野における通常の知識を持つ者であれば、これより多様な変形及び均等な実施形態が可能であることが理解できよう。
【０１０７】
従って、本発明の真の保護範囲は添付した特許請求の範囲によってのみ定まるべきである。
【図１】
2014531537.tif 000003
【図２】
2014531537.tif 000004
【図３】
2014531537.tif 000005
【図４】
2014531537.tif 000006
【図５】
2014531537.tif 000007
【図６】
2014531537.tif 000008
【図７】
2014531537.tif 000009
【図８】
2014531537.tif 000010
【図９】
2014531537.tif 000011
【国際調査報告】
2014531537.tif 000012
2014531537.tif 000013
2014531537.tif 000014
2014531537.tif 000015